(57)【要約】      （修正有）【課題】風雨時でもからまなく、収納も容易な手旗を提供する。【解決手段】方形をなす旗面１の左辺を支持する直立パイプ２の頂部にあらかじめ基盤３を接続固定しておき、基盤３の側面にフックを除くパッチン錠４と蝶番５内の下側の面を固定してあり、蝶番５内の上側の面には旗面上辺を支持する水平パイプ６の左端面を垂直に固定し、フックも固定する。旗面１の使用時には、パッチン錠４のリング７をフックに掛けパッチン錠４を作動することにより、蝶番５内の上側の面が引上げ固定されることにより、水平パイプ６が水平に保持されて旗面１が開き、旗面の収納時には、パッチン錠４のリングの作用を解除すれば、水平パイプ５が直立パイプ２側に垂下して旗面を閉じることになる。【選択図】図１
0003174185.tif 000002
【実用新案登録請求の範囲】
【請求項１】
方形をなす旗面１の左辺を支持する直立パイプ２の頂部にあらかじめ基盤３を接続固定しておき、当該基盤３の側面にフック８を除くパッチン錠４と蝶番５内の下側の面を固定してあり、蝶番５内の上側の面に旗面上辺を支持する水平パイプ６の左端面を垂直に固定し、フック８も固定してあり、旗面１の使用時、パッチン錠４のリング７をフック８に掛けることにより、蝶番５内の上側の面が引上げ固定され、水平パイプ６が水平に保持されて旗面１が開き、一方、直立パイプ２の下端部にあるロータリージョイント１０を介し旗の把持部１１を接続して、直立パイプ２を回動自在にしてあり、旗面の収納時には、パッチン錠４のリング７の作用を解除して、水平パイプ６が直立パイプ２側に垂下して旗面１が閉じるようにしてあることを特徴とする手旗の構造。
【考案の詳細な説明】
【技術分野】
【０００１】
本考案は風雨でもからむことなく、収納もしやすい手旗の構造に関する。
【背景技術】
【０００２】
従来の旗と旗竿に関するものとして、特許文献１によれば、風雨により旗布が旗棒に絡まないように工夫した手旗として、旗布の一側縁を棒に取り付けてあり、該旗布の上縁に剛性を有する補強部材を設けてあるというが、Ｌ字状部材の連携がないので、風雨により旗布が旗棒に絡まないという説明が足りない。また、特許文献２には手旗として、旗本体の上辺にアームを取り付け、使用時、バネ仕掛けで旗面が開くようにしてあり、不要時ポールに巻き取るようにしてあり便利であるというが、構造が複雑で実用性に疑問がある。また、特許文献３には可撓性のある旗竿と旗布からなる交通安全用手旗が紹介されてあるのみである。特許文献４には旗と旗竿の組合せについて、旗竿にパイプを用い、その長さ方向に沿って裂け目を入れておき、旗は一辺を凸状にして旗竿の裂け目に挟むようにして、旗の取り付けを容易にしたものがあるが取り扱いが容易でない。
【先行技術文献】
【特許文献】
【０００３】
【特許文献１】実用新案登録第３０７５５５６号公報
【特許文献２】実用新案登録第３０８７４５１号公報
【特許文献３】実用新案登録第３１６０７５０号公報
【特許文献４】特開平１１−１１９７１４
【考案の概要】
【考案が解決しようとする課題】
【０００４】
本考案は風雨時でも旗が容易にからまなく、収納もし易い手旗の構造を提案せんとするものである。
【課題を解決するための手段】
【０００５】
ここにおいて本考案者は、風雨時でも旗面が容易にからまないようにした荒天用の手旗として、方形をなす旗面１の左辺を支持する直立パイプ２の頂部にあらかじめ基盤３を接続固定しておき、基盤３の側面にフック８を除くパッチン錠４と蝶番５内の下側の面を固定してあり、蝶番５内の上側の面に旗面の上辺を支持する水平パイプ６の左端面を垂直に固定し、フック８も固定してあり、旗面１の使用時、パッチン錠４のリング７をフック８に掛けることにより、蝶番５内の上側の面が引上げ固定され、水平パイプ６が水平に保持されて旗面１が開き、一方、直立パイプ２の下端部にあるロータリージョイント１０を介し旗の把持部１１を接続して、直立パイプ２を回動自在にしてあり、旗面の収納時には、パッチン錠４のリング７の作用を解除して、水平パイプ６が直立パイプ２側に垂下して旗面１を閉じるようにしてあることからなる、その構造を見出すに至った。
【考案の効果】
【０００６】
本考案の荒天用手旗は、以上の構造を有しているので、風雨時でも旗が容易にからまなく、識別されやすく、収納も容易である。
【図面の簡単な説明】
【０００７】
【図１】本考案による荒天用手旗の使用時を示す説明図である。ただし、旗面１は実の寸法では書けないので、イメージで示している。
【図２】本考案による荒天用手旗の収納時を示す説明図である。ただし、旗面１の取り付け状態は省略してある。
【考案を実施するための最良の形態】
【０００８】
本考案では、風雨時でも旗面が容易にからまないようにした荒天用の旗として、方形をなす旗面１の左辺を支持する直立パイプ２の頂部の上方に、基盤３を接続固定しておき、それにフック８を除くパッチン錠４と蝶番５の下側の面を固定し、蝶番５内の上側の面には旗面上辺を支持する水平パイプ６の左端面を垂直に固定し、フック８も固定しておき、旗面使用時には、パッチン錠４のリング７をフック８に作動させれば、蝶番５内の上側の面が引上げ固定され、旗面上辺を支持する水平パイプ６が水平に維持され、一方、直立パイプ２の下端部にロータリージョイント１０を介し旗の把持部１１を接続して直立パイプ２を回動自在にしてあるので、必要に応じその機能を使用することができ、旗面の収納時には、蝶番５内の上方の面にあるフック８に対しパッチン錠４のリング７を解除すれば、水平位置にある旗面上辺の水平パイプ６が直立パイプ２側に垂下して旗面が閉じる。なお、把持部１１の直上を把握すれば、必要に応じ旗面１の回転を抑止することもできる。
【０００９】
本考案を実施するにあたり、本考案を構成する旗面１、直立パイプ２、基盤３、パッチン錠４、蝶番５、水平パイプ６、ロータリージョイント１０、把持部１１等各要素の形状は機械的強度等を考慮して適宜選定されるが、蝶番５に対する水平パイプ６の取り付けは溶接が適当である。パッチン錠４は市販品を選択し、小型なものを選択することになる。なお、基盤３付近の旗面１の形状には若干工夫を要し、旗面１の水平パイプ６や直立パイプ２への取り付けでは端部の押さえが要る。
【実施例１】
【００１０】
方形をなす旗面１の左辺を支持する直立パイプ２の頂部に基盤３を接続固定し、その側面に蝶番５の下方の面とリング７を除くパッチン錠４の部分を固定して、パッチン錠４のリング７が蝶番５内の上方の面に固定してあるフック８に係るようにしておき、また、蝶番５内の上方の面には旗面上辺を支持する水平パイプ６の左端面を垂直に固定しておき、旗面１の使用時は、パッチン錠４のリング７をフック８に掛けて作動することにより蝶番５内の上方の面を引上げて固定すれば、旗面上辺の水平パイプ６が水平に保持され旗面が開き、一方、直立パイプ２の下端部にあるロータリージョイント１０を介して旗の把持部１１を接続し、直立パイプ２を回動自在にすることができ、旗面の収納時には、パッチン錠４のリング７を解除すれば、水平位置の旗面上辺を支持する水平パイプ６が直立パイプ２側に垂下して旗面１が閉じるので、適宜まとめればよい。
【産業上の利用可能性】
【００１１】
本考案の手旗は収納が容易で風雨時でも旗が容易にからまないので、各種の交通標識などに好適に利用できるので活用が期待される。
【符号の説明】
【００１２】
１  旗面
２  直立パイプ
３  基盤
４  パッチン錠
５  蝶番
６  水平パイプ
７  リング
８  フック
１０  ロータリージョイント
１１  把持部
【図１】
0003174185.tif 000003
【図２】
0003174185.tif 000004